(57)【要約】【課題】電子機器を作動させる動作状態を決定する設定値をロックしている場合に設定値設定手段を操作したときに設定されている設定値を変えることなくその設定値を報知する電子機器の設定値ロック装置を提供する。【解決手段】電子機器を作動させる動作状態を決定する設定値を決定するための設定値設定手段２ａと設定値設定手段２ａによって一旦設定された設定値を不変とする設定値ロック手段３ａとを有する電子機器において、音声出力装置４を設け、設定値ロック手段３ａにより設定値をロックした状態で、設定値設定手段２ａを操作したときには前記設定値を変えることなく、音声出力装置４により設定されている設定値を報知するように構成した。【選択図】        図３
2005159594.tif 000002
【特許請求の範囲】
【請求項１】
電子機器を作動させる動作状態を決定する設定値を決定するための設定値設定手段と前記設定値設定手段によって一旦設定された設定値を不変とする設定値ロック手段とを有する電子機器において、音声出力装置を設け、前記設定値ロック手段により設定値をロックした状態で、前記設定値設定手段を操作したときには前記設定値を変えることなく、前記音声出力装置により設定されている設定値を報知するように構成した電子機器の設定値ロック装置。
【請求項２】
電子機器を作動させる動作状態を決定する設定値を決定するための設定値設定手段と前記設定値設定手段によって一旦設定された設定値を不変とする設定値ロック手段とを有する電子機器において、音声出力装置を設け、前記設定値ロック手段により設定値をロックした状態で、前記設定値設定手段を操作したときには前記設定値を変えることなく、前記音声出力装置によりエラー音を発音した後、設定されている設定値を報知するように構成した電子機器の設定値ロック装置。
【請求項３】
通信機である電子機器の設定値としての通信チャンネルを設定するための通信チャンネル設定手段と前記通信チャンネル設定手段によって一旦設定された通信チャンネルを不変とする通信チャンネルロック手段とを有する通信機において、音声出力装置を設け、前記通信チャンネルロック手段により通信チャンネルをロックした状態で、前記前記通信チャンネル設定手段を操作したときには前記通信チャンネルを変えることなく、前記音声出力装置により設定されている通信チャンネルを報知するように構成した電子機器の設定値ロック装置。
【請求項４】
通信機である電子機器の通信チャンネルを設定するための通信チャンネル設定手段と前記通信チャンネル設定手段によって一旦設定された通信チャンネルを不変とする通信チャンネルロック手段とを有する通信機において、音声出力装置を設け、前記通信チャンネルロック手段により通信チャンネルをロックした状態で、前記前記通信チャンネル設定手段を操作したときには前記通信チャンネルを変えることなく、前記音声出力装置によりエラー音を発音した後、設定されている通信チャンネルを報知するように構成した電子機器の設定値ロック装置。
【請求項５】
不揮発性メモリを設け、前記不揮発性メモリに設定値がロック装置されているか否かおよび設定された設定値を記憶させ、電源投入時に前記不揮発性メモリの記憶内容を読み取り設定値がロック装置されている場合は、前記不揮発性メモリに記憶されている設定値をロック状態に設定するように構成した請求項１から４のいずれかに記載された電子機器の設定値ロック装置。
【発明の詳細な説明】
【技術分野】
【０００１】
この発明は電子機器の設定値ロック装置に係わり、特に、通信機の通信チャンネルを設定するのに好適な電子機器の設定値ロック装置に関する。
【背景技術】
【０００２】
従来のトランシーバの通信チャンネルロック装置の例を図７および図８により説明する。図７における２ａは通信チャンネル設定手段に固定された通信チャンネル設定つまみであり、これを回すことにより通信チャンネルを変更する信号が制御装置１に入力され、制御装置１をその信号により通信チャンネルを設定する。
【０００３】
３ａは通信チャンネルロック手段に固定された通信チャンネルロックつまみであり、これを押すことにより通信チャンネルをロックする信号が制御装置１に入力され、制御装置１をその信号により通信チャンネルが設定されているチャンネルにロックする。通信チャンネルがロックされている状態で通信チャンネルロックつまみ３ａを再度押すと通信チャンネルのロックが解除される。
【０００４】
図７（ａ）は通信チャンネルがロックされていない状態で通信チャンネルロックつまみ３ａを押した状態を示しており、この場合制御装置１は１６３３Ｈｚのビープ音を５０ｍｓの間スピーカである音声出力装置４に発音させて通信チャンネルをロックしたことを使用者に知らせる。
【０００５】
図８に通信チャンネルがロックされている状態での動作を示すフローチャートを示している。通信チャンネルがロックされているときにはステップＳ１の動作が定期的に実行される。そして、ステップＳ１において通信チャンネル設定つまみ２ａが操作されたか否かが判断され、操作されていないときはそのままステップＳ１の動作が繰り返される。
【０００６】
ステップＳ１において通信チャンネル設定つまみ２ａが操作されたと判断されると、ステップＳ２に移行して図７（ｂ）に示すように１３９６Ｈｚのエラービープを音声出力装置４に発音させて通信チャンネルがロックされていることを使用者に知らせ、その後ステップＳ１の動作が繰り返される。この場合通信チャンネル設定つまみ２ａが操作されても通信チャンネルが変更されることはない。
【０００７】
上記したトランシーバでは通信チャンネルがロックされていることを知ることはできるがロックした通信チャンネルを忘れると、そのときに設定されている通信チャンネルを知ることができず、操作が不便であった。
【０００８】
特開平６−２０５０９４号公報に提案された通信端末装置は、置数入力キーにより入力された電話番号がメモリに記憶され、ファンクションキーを押すと、入力された電話番号が音声出力される。この通信端末装置にると、入力した電話番号を確認することができるが、音量等を設定してその設定値にロックした場合にロックされている音量等の設定値を知ることができなかった。
【特許文献１】特開平６−２０５０９４号公報
【発明の開示】
【発明が解決しようとする課題】
【０００９】
この発明は上記した点に鑑みてなされたものであって、その目的とするところは、電子機器を作動させる動作状態を決定する設定値をロックしている場合に設定値設定手段を操作したときに設定されている設定値を変えることなくその設定値を報知する電子機器の設定値ロック装置を提供することにある。
【課題を解決するための手段】
【００１０】
この発明の電子機器の設定値ロック装置は、電子機器を作動させる動作状態を決定する設定値を決定するための設定値設定手段と前記設定値設定手段によって一旦設定された設定値を不変とする設定値ロック手段とを有する電子機器において、音声出力装置を設け、前記設定値ロック手段により設定値をロックした状態で、前記設定値設定手段を操作したときには前記設定値を変えることなく、前記音声出力装置により設定されている設定値を報知するように構成したものである。
【００１１】
また、この発明の電子機器の設定値ロック装置は、電子機器を作動させる動作状態を決定する設定値を決定するための設定値設定手段と前記設定値設定手段によって一旦設定された設定値を不変とする設定値ロック手段とを有する電子機器において、音声出力装置を設け、前記設定値ロック手段により設定値をロックした状態で、前記設定値設定手段を操作したときには前記設定値を変えることなく、前記音声出力装置によりエラー音を発音した後、設定されている設定値を報知するように構成したものである。
【００１２】
また、この発明の電子機器の設定値ロック装置は、通信機である電子機器の設定値としての通信チャンネルを設定するための通信チャンネル設定手段と前記通信チャンネル設定手段によって一旦設定された通信チャンネルを不変とする通信チャンネルロック手段とを有する通信機において、音声出力装置を設け、前記通信チャンネルロック手段により通信チャンネルをロックした状態で、前記前記通信チャンネル設定手段を操作したときには前記通信チャンネルを変えることなく、前記音声出力装置により設定されている通信チャンネルを報知するように構成したものである。
【００１３】
また、この発明の電子機器の設定値ロック装置は、通信機である電子機器の通信チャンネルを設定するための通信チャンネル設定手段と前記通信チャンネル設定手段によって一旦設定された通信チャンネルを不変とする通信チャンネルロック手段とを有する通信機において、音声出力装置を設け、前記通信チャンネルロック手段により通信チャンネルをロックした状態で、前記前記通信チャンネル設定手段を操作したときには前記通信チャンネルを変えることなく、前記音声出力装置によりエラー音を発音した後、設定されている通信チャンネルを報知するように構成したものである。
【００１４】
さらに、この発明の電子機器の設定値ロック装置は、前記各設定値ロック装置において、不揮発性メモリを設け、前記不揮発性メモリに設定値がロック装置されているか否かおよび設定された設定値を記憶させ、電源投入時に前記不揮発性メモリの記憶内容を読み取り設定値がロック装置されている場合は、前記不揮発性メモリに記憶されている設定値ををロック状態に設定するように構成したものである。
【発明の効果】
【００１５】
この発明の電子機器の設定値ロック装置によれば、電子機器を作動させる動作状態を決定する設定値がロックされているときに、ロックされている設定値を容易に知ることができ、ロックした設定値を忘れた場合に設定値を変更する必要があるかを容易に判断できる。
【発明を実施するための最良の形態】
【００１６】
以下この発明を実施するための最良の形態を実施例に即して説明する。
【実施例１】
【００１７】
図１はこの発明の実施例１であるトランシーバの要部を示すブロック図である。図１に示す制御装置１はマイクロコンピュータ、ＲＯＭ、ＲＡＭおよび音声合成装置を備えており、装置全体を制御し、また、通信チャンネルを設定する。
【００１８】
通信チャンネル設定手段２はその回転軸に固着された通信チャンネル設定つまみ２ａにより操作され、設定するチャンネルの信号を制御装置１に出力する。通信チャンネルロック手段３はその軸に固着された通信チャンネルロックつまみ３ａにより操作され、通信チャンネルロックつまみ３ａが押されたことを示す信号を制御装置１に出力する。制御装置１はＲＯＭに記録されている任意の音声データを読みだして音声信号を合成し、その音声信号によりスピーカである音声出力装置４を作動させる。
【００１９】
通信チャンネルがロックされていない状態で通信チャンネルロックつまみ３ｓを押すと通信チャンネルをロックする信号が制御装置１に入力され、制御装置１をその信号により通信チャンネルが設定されているチャンネルにロックする。通信チャンネルがロックされている状態で通信チャンネルロックつまみ３ａを再度押すと通信チャンネルのロックが解除される。
【００２０】
通信チャンネルがロックされていない状態で通信チャンネル設定つまみ２ａを図２（ａ）に示す状態から図２（ｂ）に示す状態に通信チャンネル設定つまみ２ａを回すと、通信チャンネルは７に設定され、図３（ａ）に示すように音声出力装置４から『７チャンネル』とのメッセージが出力される。これにより使用者は通信チャンネルが７チャンネルに設定されたことを知ることができる。
【００２１】
このように通信チャンネルが７チャンネルに設定された後に通信チャンネルロックつまみ３ａを押すと、通信チャンネルは７チャンネルにロックされる。なお、このとき場合制御装置１が１６３３Ｈｚのビープ音を５０ｍｓの間スピーカである音声出力装置４に発音させて通信チャンネルをロックしたことを使用者に知らせるようにしてもよい。
【００２２】
図４は通信チャンネルがロックされている状態での動作を示すフローチャートを示している。通信チャンネルがロックされているときにはステップＳ３の動作が定期的に実行される。そして、ステップＳ３において通信チャンネル設定つまみ２ａが操作されたか否かが判断され、操作されていないときはそのままステップＳ３の動作が繰り返される。
【００２３】
ステップＳ３において通信チャンネル設定つまみ２ａが操作されたと判断されると、ステップＳ４に移行して、図３（ｂ）に示すように１３９６Ｈｚのエラービープを音声出力装置４に発音させて通信チャンネルがロックされていることを使用者に知らせ、さらに例えば『７チャンネル』とのメッセージを出力し、その後ステップＳ３の動作が繰り返される。この場合通信チャンネル設定つまみ２ａが操作されても通信チャンネルが変更されることはない。
【００２４】
このように、上記した実施例１のトランシーバでは通信チャンネルがロックされていることを忘れて通信チャンネル設定つまみ２ａを操作しても、通信チャンネルがロックされていることおよびロックされている通信チャンネルを知ることができるので、通信チャンネルをさらに変更する必要があるかを直ちに判断できて使用勝手がよくなる。
【００２５】
また、ロックした通信チャンネルを忘れたときや、不用意に通信チャンネル設定つまみ２ａを操作したときもロックしている通信チャンネルを知ることがいき、便利である。また、暗い場所で使用するときや視覚障害者が使用するときにも通信チャンネルを変更する必要があるかを簡単に判断することができる。
【実施例２】
【００２６】
図２はこの発明の実施例２であるトランシーバの要部を示すブロック図である。この例では図１に示す実施例１のトランシーバの構成に不揮発性メモリ５が追加された構成となっている。制御装置１は通信チャンネルがロックされたときに、通信チャンネルがロックされたことおよびロックされた通信チャンネルを不揮発性メモリ５に記憶させる。
【００２７】
通信チャンネルのロックが解除されたときには、制御装置１は通信チャンネルがロックされていないことを不揮発性メモリ５に記憶させる。なお、通信チャンネルのロックが解除されていることを、通信チャンネルを記憶するアドレスに特定の数値を記憶させることにより識別させてもよい。不揮発性メモリ５以外の構成は図１と同一の符号で示されており、その詳細な説明を省略する。
【００２８】
図６により実施例２のトランシーバの電源投入時の動作を説明する。電源が投入されると、先ず、ステップＳ５により通信チャンネルがロックされているか否かを判断し、ロックされていないときはステップＳ６に移行し、ロックされているときはステップＳ７に移行する。
【００２９】
ステップＳ６では、通信チャンネル設定つまみ２ａが示している通信チャンネルが使用される状態としてステップＳ９に移行する。ステップＳ７では、不揮発性メモリからロックされている通信チャンネルを読み出しそのチャンネルに通信チャンネルをロックしてステップＳ８に移行する。
【００３０】
ステップＳ８では、制御装置１は１３９６Ｈｚのエラービープを音声出力装置４に発音させて通信チャンネルがロックされていることを使用者に知らせステップＳ９に移行する。ステップＳ９では、制御装置１は使用状態となっている通信チャンネルまたはロックされている通信チャンネルを音声出力装置４に発音させてこのルーチンを終了する。この電源投入時のルーチンを終了した後は、実施例１と同様に図４に示す処理が実行される。
【００３１】
実施例２のトランシーバは実施例１のトランシーバの効果を奏する他、電源が一旦遮断された後、電源が投入された場合に、電源が遮断される前の通信チャンネルロック状態が保持されるという効果を奏する。
【００３２】
実施例は以上のように構成されているが発明はこれに限られず、例えば、音量の設定等にこの発明を適用することも可能である。
【図面の簡単な説明】
【００３３】
【図１】この発明の実施例１であるトランシーバの要部を示すブロック図である。
【図２】図２（ａ）は同トランシーバを示す平面図、図２（ｂ）は同トランシーバの他の状態を示す平面図である。
【図３】同トランシーバの作用を説明するための概略構成図である。
【図４】同トランシーバの動作を示すフローチャートである。
【図５】この発明の実施例２であるトランシーバの要部を示すブロック図である。
【図６】同トランシーバの動作を示すフローチャートである。
【図７】従来のトランシーバの作用を説明するための概略構成図である。
【図８】同トランシーバの動作を示すフローチャートである。
【符号の説明】
【００３４】
１  制御装置
２  通信チャンネル設定手段、２ａ  通信チャンネル設定つまみ
３  通信チャンネルロック手段、３ａ  通信チャンネルロックつまみ
４  音声出力装置
５  不揮発性メモリ
【図１】
2005159594.tif 000003
【図２】
2005159594.tif 000004
【図３】
2005159594.tif 000005
【図４】
2005159594.tif 000006
【図５】
2005159594.tif 000007
【図６】
2005159594.tif 000008
【図７】
2005159594.tif 000009
【図８】
2005159594.tif 000010